(57)【要約】【課題】  回路評価において、集積回路に入力するクロックのＯＮ／ＯＦＦ制御を不要とし、その集積回路における他の回路部に影響を与えることなく、複数のクロック断検出回路の動作確認を同時に行うことを可能とする。【解決手段】  入力されるクロックを停止することなく、クロック断を検出する集積回路１０であって、クロック断を検出するクロック断検出部２０と、クロック断検出部２０に入力されるクロックを、クロック断検出部２０に入力される前に入力し、マスク設定がＯＮ状態である場合はマスクして、マスク設定がＯＦＦ状態である場合はそのままで、クロック断検出部２０へ出力するクロックマスク制御部２１とを備えた集積回路。【選択図】  図２
2006092033.tif 000002
【特許請求の範囲】
【請求項１】
入力されるクロックを停止することなく、クロック断を検出する集積回路であって、
クロック断を検出するクロック断検出部と、
前記クロック断検出部に入力されるクロックを、前記クロック断検出部に入力される前に入力し、マスク設定がＯＮ状態である場合はマスクして、マスク設定がＯＦＦ状態である場合はそのままで、前記クロック断検出部へ出力するクロックマスク制御部と、を備えた
ことを特徴とする集積回路。
【請求項２】
前記クロックマスク制御部が、
レジスタ制御装置の制御を受けるクロックマスク制御信号生成レジスタと、マスク設定にもとづきクロックの出力を制御する一又は二以上のクロックマスク制御回路と、を備え、
前記クロックマスク制御信号生成レジスタが、前記レジスタ制御装置による設定にもとづきクロックマスク制御信号を生成し、このクロックマスク制御信号を前記クロックマスク制御回路へ出力して、当該クロックマスク制御回路のマスク設定を切替える
ことを特徴とする請求項１記載の集積回路。
【請求項３】
前記クロックマスク制御部が、前記クロックマスク制御回路として、一又は二以上のクロックに対するマスク制御を行う一のクロックマスク制御回路を備えることを特徴とする請求項２記載の集積回路。
【請求項４】
前記クロックマスク制御信号生成レジスタが、前記レジスタ制御装置による設定にもとづいて、前記クロックマスク制御信号として、マスクＯＦＦ設定と、二種類以上のマスクＯＮ設定のいずれかの信号を、前記クロックマスク制御回路へ出力し、当該クロックマスク制御回路のマスク設定を切替える
ことを特徴とする請求項２又は３記載の集積回路。
【請求項５】
前記クロック断検出部が、前記クロック断検出回路を二以上備えたことを特徴とする請求項１〜４のいずれかに記載の集積回路。
【請求項６】
前記クロック断検出部が、前記クロック断検出回路として、当該集積回路の内部で使用するクロックの断検出を行う一又は二以上のクロック断検出回路と、当該集積回路の外部で使用するクロックの断検出を行う一又は二以上のクロック断検出回路と、これらのクロック断検出回路にて使用する動作クロックの断検出を行うクロック断検出回路と、を備えた
ことを特徴とする請求項５記載の集積回路。
【請求項７】
前記クロック断検出回路が、断検出の結果をクロック断状態通知信号として出力することを特徴とする請求項１〜６のいずれかに記載の集積回路。
【発明の詳細な説明】
【技術分野】
【０００１】
本発明は、クロック制御回路を設けたクロック断検出回路を有する集積回路に関する。
【背景技術】
【０００２】
近年、集積回路が大規模化するに伴って、回路に設計ミスがないかどうかの論理機能面の調査を行う論理シミュレーションや、配置配線後に生じるセル遅延等を考慮して設計ミスの有無を調査するタイミングシミュレーションなどの基盤評価に必要な時間が増大してきている。
このような集積回路には、一般に集積回路に入力されるクロックの断検出を行うためのクロック断検出回路が備えられている。そして、このクロック断検出回路の評価を行うためには、クロック断検出回路に入力するクロックを制御することが必要となる。ところが、基盤評価において、入力するクロックをＯＮ／ＯＦＦ制御することは困難であるため、これを行うことなくクロック断検出回路の評価を可能とすることが望ましい。
しかしながら、従来、クロック断検出回路の動作を確認するためには、入力するクロックを停止する必要があり、その評価を容易に行うことができないという問題があった。
【０００３】
また、基盤を運用中になんらかの障害が発生した場合、確認すべき機能以外の回路に影響を与えることなくそのままの状態で基盤を評価したい場合がある。
しかしながら、従来のクロック断検出回路を備えた集積回路では、上述したように入力するクロックのＯＮ／ＯＦＦ制御は難しく、確認すべき機能のみを評価することが困難であるという問題もあった。
【０００４】
図５は、このような従来のクロック断検出回路を備えた集積回路の構成を示すブロック図である。
同図に示すような集積回路１００において、クロック断検出回路１０１ａ〜１０１ｄの動作確認をするためには、クロックＡ１０５ａ〜Ｄ１０５ｄをそれぞれ停止する必要があった。また、クロック断検出回路１０１ａ〜１０１ｃの動作クロックであるクロックＤ１０５ｄを停止すると、クロック１０５ａ〜１０５ｃの断検出を行うことはできないため、クロック１０５ａ〜１０５ｄに対するクロック断検出回路１０１ａ〜１０１ｄを、同時に確認することはできないという問題もあった。
さらに、クロック断検出回路１０１ｂ〜１０１ｃの動作確認をするために、クロックＢ１０５ｂ〜Ｃ１０５ｃを停止させると、他の回路部２２０へのクロックも停止してしまう。このため、これらのクロックＢ１０５ｂやＣ１０５ｃを使用している他の回路は、動作しなくなってしまうという問題もあった。
【０００５】
また、従来の集積回路を開示する先行技術文献としては、以下のものを挙げることができる。
特許文献１には、複数のクロックを一つの監視回路で監視するクロック断検出回路が開示されている。これにより、クロック断検出回路の回路規模を小さくすることが可能となっている。
特許文献２には、クロック断検出回路に、クロック発生部から複数のパッケージに分配して供給する複数のクロック信号を入力する共通断検出部を設けて、この共通断検出部により、いずれか一つのクロック信号が断となった時に検出信号を出力する技術内容が開示されている。これにより、クロック断検出回路の構成を簡単かつ経済化することが可能となっている。
【０００６】
【特許文献１】特開昭６１−０８４１１１号公報
【特許文献２】特開平０５−２５２１５２号公報
【発明の開示】
【発明が解決しようとする課題】
【０００７】
しかしながら、これらの先行技術文献に記載のクロック断検出回路も、上述した図５に示す集積回路における場合と同様に、クロック断検出回路の動作を確認するためには、入力するクロックを停止しなくてはならず、上記各問題を解決することの可能なものではなかった。
【０００８】
本発明は、上記の事情にかんがみなされたものであり、クロック断検出回路を備えた集積回路にクロック制御回路を設け、クロック断検出回路にて監視するクロックを、クロック断検出回路へ入力する前に、クロック制御回路に入力し、このクロック制御回路をクロックマスク制御信号によりマスク制御することで外部から入力されるクロックを停止することなくクロック断検出回路の動作確認を行うことを可能とする集積回路の提供を目的とする。
【課題を解決するための手段】
【０００９】
上記目的を達成するため、本発明の集積回路は、入力されるクロックを停止することなく、クロック断を検出する集積回路であって、クロック断を検出するクロック断検出部と、クロック断検出部に入力されるクロックを、クロック断検出部に入力される前に入力し、マスク設定がＯＮ状態である場合はマスクして、マスク設定がＯＦＦ状態である場合はそのままで、クロック断検出部へ出力するクロックマスク制御部とを備えた構成としてある。
【００１０】
集積回路をこのような構成にすれば、回路評価において、クロック断検出回路に入力するクロックを、クロックマスク制御回路によりマスク制御することができるため、入力するクロックのＯＮ／ＯＦＦ制御を行う必要がなくなり、評価を容易に行うことが可能となる。
また、このように入力するクロックのＯＮ／ＯＦＦ制御を行う必要がないため、その集積回路における他の回路部に影響を与えずに、クロック断検出回路の動作確認を行うことが可能となる。
【００１１】
また、本発明の集積回路は、クロックマスク制御部が、レジスタ制御装置の制御を受けるクロックマスク制御信号生成レジスタと、マスク設定にもとづきクロックの出力を制御する一又は二以上のクロックマスク制御回路とを備え、クロックマスク制御信号生成レジスタが、レジスタ制御装置による設定にもとづきクロックマスク制御信号を生成し、このクロックマスク制御信号をクロックマスク制御回路へ出力して、当該クロックマスク制御回路のマスク設定を切替える構成としてある。
集積回路をこのような構成にすれば、レジスタ設定によりクロック断検出回路へのクロックの入力を切替えることができるため、クロック断検出回路の動作確認を容易に行うことが可能となる。
【００１２】
また、本発明の集積回路は、クロックマスク制御部が、クロックマスク制御回路として、一又は二以上のクロックに対するマスク制御を行う一のクロックマスク制御回路を備える構成としてある。
集積回路をこのような構成にすれば、クロックマスク制御部の回路を小規模化することが可能となる。
【００１３】
本発明の集積回路は、クロックマスク制御信号生成レジスタが、レジスタ制御装置による設定にもとづいて、クロックマスク制御信号として、マスクＯＦＦ設定と、二種類以上のマスクＯＮ設定のいずれかの信号を、クロックマスク制御回路へ出力し、当該クロックマスク制御回路のマスク設定を切替える構成としてある。
集積回路をこのような構成にすれば、レジスタ制御装置からの設定にもとづいて、複数のマスク設定ＯＮ状態をより詳細に区別して評価することが可能となる。
【００１４】
本発明の集積回路は、クロック断検出部が、クロック断検出回路を二以上備えた構成としてある。
また、本発明の集積回路は、クロック断検出部が、クロック断検出回路として、当該集積回路の内部で使用するクロックの断検出を行う一又は二以上のクロック断検出回路と、当該集積回路の外部で使用するクロックの断検出を行う一又は二以上のクロック断検出回路と、これらのクロック断検出回路にて使用する動作クロックの断検出を行うクロック断検出回路とを備えた構成としてある。
【００１５】
集積回路をこれらのような構成にすれば、集積回路に二以上のクロック断検出回路が含まれる場合についても、集積回路への入力クロックを停止することなく断検出を行うことができるとともに、これらの断検出を同時に行うことが可能となる。
従来の集積回路、例えば図５に示すような集積回路では、その内部又は外部で使用するクロックの断検出を行うクロック断検出回路１０１ａ〜１０１ｃと、これらのクロック断検出回路において使用される動作クロックの断検出を行うクロック断検出回路１０１ｄについて、動作確認を同時に行うことはできなかった。
【００１６】
すなわち、クロック断検出回路１０１ｄの動作確認を行うに際し、入力するクロックＤ１０５ｄを停止すると、クロック断検出回路１０１ａ〜１０１ｃは動作しなくなってしまう。このため、クロック断検出回路１０１ａ〜１０１ｄの断検出を同時に行うことができないという問題があった。
一方、本発明の集積回路によれば、入力クロックを停止せずに断検出を行うことができるため、集積回路の内部又は外部で使用するクロックの断検出を行うクロック断検出回路とともに、これらのクロック断検出回路において使用される動作クロックの断検出を行うクロック断検出回路の評価を同時に行うことが可能となる。
このため、本発明の集積回路によれば、回路設計時のシミュレーションに要する時間を短縮することが可能となる。
【００１７】
本発明の集積回路は、クロック断検出回路が、断検出の結果をクロック断状態通知信号として出力する構成としてある。
集積回路をこのような構成にすれば、入力するクロックを停止することなく、クロック断検出回路の動作確認を行うことができるとともに、集積回路の外部に、クロック断検出回路のそれぞれの断状態を通知することが可能となる。
【発明の効果】
【００１８】
本発明によれば、クロック断検出回路を備えた集積回路において、このクロック断検出回路へ入力するクロックを、その入力前にクロックマスク制御回路に入力してマスク制御を行うことにより、集積回路に入力するクロックのＯＮ／ＯＦＦ制御を行うことなく、容易にクロック断検出回路の動作確認を行うことができる。
また、複数のクロック断検出回路の動作確認を同時に行うことができ、回路設計時のシミュレーション時間を短縮することが可能となる。
さらに、基盤を運用中になんらかの障害が発生した場合、本発明の集積回路によれば、入力するクロックを停止することなく、クロック断検出回路への入力クロックをマスク制御することが可能となるため、確認すべき機能以外の回路に影響を与えることなくそのままの状態で基盤を評価することが可能となる。
【発明を実施するための最良の形態】
【００１９】
以下、本発明の集積回路の好ましい実施形態について、図面を参照しつつ説明する。
まず、図１を参照して、本発明の集積回路の構成につき説明する。同図は、本発明の実施形態の集積回路の概略構成を示すブロック図である。
本発明の集積回路は、同図に示すように、クロック断検出回路１ａ〜１ｃにより監視するクロックＡ５ａ〜Ｃ５ｃを、それぞれクロック断検出回路１ａ〜１ｃに入力する前に、クロックマスク制御回路３ａ〜３ｃに入力する。そして、このクロックマスク制御回路３ａ〜３ｃを、クロックマスク制御信号４ａ〜４ｃによってマスク制御することにより、外部から入力するクロックＡ５ａ〜Ｃ５ｃを停止することなく、クロック断検出回路１ａ〜１ｃの動作確認を行うことを可能としている。
このため、回路評価において、外部から入力するクロックのＯＮ／ＯＦＦ制御を行う必要がなく、評価を容易に行うことが可能となっている。
【００２０】
また、本発明の集積回路は、クロック断検出回路１ａ，１ｂの動作クロックＣ５ｃに対して、別個にクロック断検出回路１ｃを備えているが、クロックマスク制御回路３ｃを用いることにより、クロックＣ５ｃを停止することなくクロック断検出回路１ｃの動作確認を行うことができるため、クロック断検出回路１ａ〜１ｃの確認を同時に行うことができ、シミュレーション時間を短縮することが可能となっている。
【００２１】
［第一実施形態］
次に、本発明の第一実施形態の構成について、図２を参照して説明する。同図は、本実施形態の集積回路の構成を示すブロック図である。
同図に示すように、本実施形態のある機能をもった集積回路ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）１０は、クロック断検出部２０，クロックマスク制御部２１，他の回路部２２を有している。
【００２２】
クロック断検出部２０は、ＡＳＩＣ１０の内部で使用するクロックＢ１５ｂ，クロックＣ１５ｃ、ＡＳＩＣ１０の外部で使用するクロックＡ１５ａ、及びクロックＡ１５ａ〜Ｃ１５ｃの断検出を行うクロック断検出回路において、動作クロックとして使用するクロックＤ１５ｄの４クロックの断検出を行う。このクロック断検出部２０は、クロックＡ１５ａ，Ｂ１５ｂ，Ｃ１５ｃ，Ｄ１５ｄのそれぞれの断検出を行うための回路として、クロック断検出回路１１ａ，１１ｂ、１１ｃ、１１ｄを有している。
【００２３】
クロックマスク制御部２１は、クロックＡ１５ａ，Ｂ１５ｂ，Ｃ１５ｃ，Ｄ１５ｄをそれぞれマスク制御するための回路として、クロックマスク制御回路１３ａ，１３ｂ，１３ｃ，１３ｄを有している。また、このクロックマスク制御回路部２１は、レジスタ制御装置１８の設定によりクロックマスク制御回路１３ａ〜１３ｄを制御するための制御信号を生成するクロックマスク制御信号生成レジスタ１９を有している。このクロックマスク制御信号生成レジスタ１９は、クロックＡ１５ａ〜Ｄ１５ｄについて、それぞれクロックマスク制御信号１４ａ〜１４ｄを生成し、それぞれクロックマスク制御回路１３ａ〜１３ｄに出力する。
【００２４】
クロックＥ１６は、ＡＳＩＣの動作クロックとして使用されるとともに、クロックＤ１５ｄのクロック断検出回路における動作クロックとしても使用される。
そして、クロックＡ１５ａ〜Ｄ１５ｄについての断検出の結果は、それぞれクロック断検出回路１１ａ〜１１ｄから、クロック断状態通知信号Ａ１７ａ〜Ｄ１７ｄとして出力する。
【００２５】
次に、図２を参照して、本実施形態の集積回路の動作について説明する。
まず、クロックマスク制御信号生成レジスタ１９は、レジスタ制御装置１８により制御され、クロックマスク制御信号１４ａ〜１４ｄを生成して、クロックマスク制御回路１３ａ〜１３ｄへそれぞれ出力する。
そして、これらのクロックマスク制御信号１４ａ〜１４ｄにより、クロックマスク制御回路１３ａ〜１３ｄを個々それぞれマスク制御する。
すなわち、クロックマスク制御回路１３（１３ａ〜１３ｄ）は、クロックマスク制御信号１４（１４ａ〜１４ｄ）がマスクＯＦＦ設定であれば、クロック１５（Ａ１５ａ〜Ｄ１５ｄ）をそのままクロック断検出回路１１（１１ａ〜１１ｄ）へ出力する。また、クロックマスク制御信号１４がマスクＯＮ設定であれば、クロック１５をマスクし、クロック断検出回路１１へ”０”を出力する。
【００２６】
クロック断検出回路１１ａ〜１１ｃは、クロックＤ１５ｄを動作クロックとして使用して、クロック１２ａ〜１２ｃの状態をそれぞれ監視し、結果をクロック断状態通知信号１７ａ〜１７ｃとして出力する。
他の回路部２２へは、クロックマスク制御回路１３によりマスク制御される前のクロックＢ１５ｂ〜Ｄ１５ｄが入力されるため、クロックマスク制御信号生成レジスタ１９の設定に拘わらず、クロックＢ１５ｂ〜Ｄ１５ｄがそのまま入力される。
【００２７】
以上説明したように、本実施形態の集積回路によれば、回路評価において、クロック断検出回路に入力するクロックを、クロックマスク制御回路によりマスク制御することができる。
このため、集積回路に入力するクロックをＯＮ／ＯＦＦ制御する必要がなくなり、評価を容易に行うことが可能となる。
【００２８】
また、本実施形態の集積回路によれば、集積回路の内部又は外部で使用するクロックの断検出を行うクロック断検出回路とともに、これらのクロック断検出回路において使用される動作クロックの断検出を行うクロック断検出回路の評価を同時に行うことが可能となる。
このため、本発明の集積回路によれば、回路設計時のシミュレーション時間を短縮することが可能となる。
さらに、入力するクロックをＯＮ／ＯＦＦ制御する必要がないため、その集積回路における他の回路部に影響を与えずに、クロック断検出回路の動作確認を行うことが可能となる。
【００２９】
［第二実施形態］
次に、本発明の第二実施形態について、図３を参照して説明する。同図は、本実施形態の集積回路の構成を示すブロック図である。
第一実施形態の集積回路は、４個のクロック１５（Ａ１５ａ〜Ｄ１５ｄ）に対して、４個のクロックマスク制御回路１３（１３ａ〜１３ｄ）を備えた構成としているが、本実施形態の集積回路は、図３に示すように、ｎ個のクロック３５（Ａ３５ａ〜Ｎ３５ｎ）に対して、ｎ個のクロックマスク制御回路３３（３３ａ〜３３ｎ）を設けた構成としてある。
これによって、クロック断検出回路を二以上備えた集積回路についても、それぞれにクロックマスク制御回路を設けることにより、第一実施形態と同様に、集積回路に入力するクロックをＯＮ／ＯＦＦ制御することなく、断検出を容易に行うことが可能となる。
なお、図３に示す本実施形態の集積回路は、図２の集積回路における他の回路部２２を備えていないが、本実施形態の集積回路に、他の回路部を、図２に示す集積回路と同様にして備えるようにすることも勿論可能である。
【００３０】
［第三実施形態］
次に、本発明の第三実施形態について、図４を参照して説明する。同図は、本実施形態の集積回路の構成を示すブロック図である。
本実施形態の集積回路は、複数のクロック５５（Ａ５５ａ〜Ｃ５５ｃ）に対して、一つのクロックマスク制御回路５３ａを設けた構成としてある。そして、このクロックマスク制御回路５３ａからクロック５２ａ〜５２ｃをクロック断検出回路５１ａ〜５１ｃに出力している。その他の構成については、第一実施形態におけるものと同様である。
集積回路をこのような構成にすれば、クロック５５（Ａ５５ａ〜Ｃ５５ｃ）を個別にマスク制御することはできないが、クロックマスク制御部６１の回路を小規模化することが可能となる。
なお、本実施形態においても、第二実施形態における場合と同様に、Ｎ個のクロック５５に対して、Ｎ個のクロック断検出回路５１を設ける構成とすることもできる。また、図４の例では、３個のクロック５５に対して一個のクロックマスク制御回路５３ａを設けた構成としてあるが、２個のクロック５５に対して一個のクロックマスク制御回路５３ａを設けることも、４個以上のクロック５５に対して一個のクロックマスク制御回路５３ａを設けることも可能である。
【００３１】
［第四実施形態］
次に、本発明の第四実施形態について、図２〜図４を参照して説明する。
本実施形態の集積回路は、クロックマスク制御信号を「マスクＯＮ」と「マスクＯＦＦ」の二種類ではなく、三種類以上設けることにより、三種類以上のマスク制御を可能とするものである。これは、第一実施形態〜第三実施形態のいずれに適用することも可能であり、その他の構成については、第一実施形態〜第三実施形態と同様のものとすることができる。
このクロックマスク制御信号としては、例えば、「マスクＯＦＦ」，「クロックを”１”にマスク（マスクＯＮ）」，「クロックを”０”にマスク（マスクＯＮ）」の三種類とすることができる。
これによって、クロックが”１”で停止した場合と、”０”で停止した場合とを、レジスタ制御装置からの設定により区別して評価することが可能となる。
【００３２】
なお、本発明は以上の実施形態に限定されるものではなく、本発明の範囲内において、種々の変更実施が可能であることは言うまでもない。例えば、クロックマスク制御信号として、より多くの種類を設けるなど適宜変更することが可能である。
【図面の簡単な説明】
【００３３】
【図１】本発明の実施形態の集積回路の概略構成を示すブロック図である。
【図２】本発明の第一実施形態の集積回路の構成を示すブロック図である。
【図３】本発明の第二実施形態の集積回路の構成を示すブロック図である。
【図４】本発明の第三実施形態の集積回路の構成を示すブロック図である。
【図５】従来の集積回路の構成を示すブロック図である。
【符号の説明】
【００３４】
１０，３０，５０  ＡＳＩＣ
１ａ〜１ｃ，１１ａ〜１１ｄ，３１ａ〜３１ｎ，５１ａ〜５１ｄ  クロック断検出回路
２ａ〜２ｃ，１２ａ〜１２ｄ，３２ａ〜３２ｎ，５２ａ〜５２ｄ  クロック
３ａ〜３ｃ，１３ａ〜１３ｄ，３３ａ〜３３ｎ，５３ａ，５３ｂ  クロックマスク制御回路
４ａ〜４ｃ，１４ａ〜１４ｄ，３４ａ〜３４ｎ，５４ａ，５４ｂ  クロックマスク制御信号
５ａ，１５ａ，３５ａ，５５ａ  クロックＡ
５ｂ，１５ｂ，５５ｂ  クロックＢ
５ｃ，１５ｃ，５５ｃ  クロックＣ
６，１５ｄ，５５ｄ  クロックＤ
１６，５６  クロックＥ
３５ｎ  クロックＮ
３６  クロックＮ＋１
７ａ，１７ａ，３７ａ，５７ａ  クロック断状態通知信号Ａ
７ｂ，１７ｂ，５７ｂ  クロック断状態通知信号Ｂ
７ｃ，１７ｃ，５７ｃ  クロック断状態通知信号Ｃ
１７ｄ，５７ｄ  クロック断状態通知信号Ｄ
３７ｎ  クロックマスク断状態通知信号Ｎ
１８，３８，５８  レジスタ制御装置
１９，３９，５９  クロックマスク制御信号生成レジスタ
２０，４０，６０  クロック断検出部
２１，４１，６１  クロックマスク制御部
２２，６２  他の回路部
１００  ＡＳＩＣ
１０１ａ〜１０１ｄ  クロック断検出回路
１０５ａ  クロックＡ
１０５ｂ  クロックＢ
１０５ｃ  クロックＣ
１０５ｄ  クロックＤ
１０６  クロックＥ
１０７ａ  クロック断状態通知信号Ａ
１０７ｂ  クロック断状態通知信号Ｂ
１０７ｃ  クロック断状態通知信号Ｃ
１０７ｄ  クロック断状態通知信号Ｄ
２００  クロック断検出部
２２０  他の回路部
【図１】
2006092033.tif 000003
【図２】
2006092033.tif 000004
【図３】
2006092033.tif 000005
【図４】
2006092033.tif 000006
【図５】
2006092033.tif 000007